(57)【要約】【課題】不正な設定変更行為に対する抑止力を発揮する。【解決手段】遊技機は、遊技に関する内部状態を可変設定する設定変更機能を具備し、所定の設定操作に伴い前記内部状態の設定変更が行われる。本遊技機の背面側に装着される払出ブロック１５には、設定変更キーをキー挿入口２４５に挿入した状態で回動操作することにより前記設定操作を有効化する設定キースイッチ２４０が設けられている。設定キースイッチ２４０は、払出ブロック１５のベース部１６１に設けられた突出板１７６よりも下方に配設されており、設定キースイッチ２４０のキー挿入口２４５ａは、突出板１７６に形成された開口窓部２６５を通じて突出板１７６から露出している。【選択図】      図３
2008061774.tif 000002
【特許請求の範囲】
【請求項１】
遊技に関する内部状態を可変設定する設定変更機能を具備し、所定の設定操作に伴い前記内部状態の設定変更が行われる遊技機において、
一体化状態で設けられ、かつ互いの分離が可能な第１構成体及び第２構成体と、
操作部に対する所定の有効化操作により前記設定操作を有効化する設定有効化装置とを備え、
前記設定有効化装置を、前記第１構成体と前記第２構成体とが一体化状態にある場合に前記第１構成体の少なくとも一部が前記操作部と接近して対向することで前記有効化操作が阻止され、前記第１構成体と前記第２構成体との分離動作に伴い前記第１構成体の少なくとも一部が前記操作部と対向しなくなることで前記有効化操作の阻止状態が解除されるように前記第２構成体に設置したことを特徴とする遊技機。
【発明の詳細な説明】
【技術分野】
【０００１】
本発明は、遊技機に関するものである。
【背景技術】
【０００２】
遊技機の一種として、遊技メダルや遊技球を遊技媒体として用い、所定個数の遊技媒体を投入するとともに所定の遊技開始操作を行うことで毎回の遊技を行うようにした回胴式遊技機が知られている。例えば、スロットマシンでは、所定枚数の遊技メダルを投入するとともに、該投入後にスタートレバーを叩き操作することにより遊技が開始される。このとき、遊技の開始に伴いリール装置におけるリールの回転が開始され、その後遊技者によるストップボタンの押し操作に伴いリールの回転が停止される。そしてリール停止時の表示図柄に応じて遊技メダルの払出等が適宜行われる。また、遊技メダルの代わりにパチンコ機で使用される遊技球を用いて上記スロットマシンに似通った遊技を行う球使用回胴遊技機では、所定個数の遊技球を投入するとともに、該投入後にスタートレバーを叩き操作することにより遊技が開始される。このとき、スロットマシンと同様にリールの回転及び停止が行われ、リール停止時の表示図柄に応じて遊技球の払出等が適宜行われる。
【０００３】
上記のような遊技機では、一般に出玉率などを設定するための設定変更機能が設けられており、遊技ホールの管理者等、あらかじめ認定された者が所定の設定操作を行うことで設定変更が行われる。既存の回胴式遊技機では、例えば出玉率が異なる６段階の設定が行われ、「設定１」〜「設定６」のいずれに設定されるかによって出玉率等が変更される。この場合、遊技機には設定キースイッチが設けられており、その設定キースイッチのキー挿入口に設定変更キーを挿入して回動操作することにより設定変更可能状態とされる。つまり、設定変更キーを用いた回動操作により都度の設定操作が有効化され、その有効化された状態でのみ設定変更が実施できるようになっている（例えば、特許文献１参照）。
【０００４】
ところで、スロットマシンでは、設定キースイッチは筐体内の電源装置などに設置されている。この場合、管理者等によって、スロットマシンの前面扉を開放した状態で設定キースイッチに設定変更キーが挿入され、設定変更操作が行われる。ここで、上記構成では不正に設定変更が行われるおそれが生じる。例えば、前面扉に不正に孔等を穿設すれば、前面扉を開放することなく設定キースイッチに対する設定変更キーの挿入が可能となるおそれがあるためである。
【０００５】
一方で、球使用回胴遊技機は、基本的にパチンコ機と同じ島設備に設置されるものであり、管理者等によって、島設備に対して遊技機が手前側に開放された状態で設定キースイッチに設定変更キーが挿入され、設定変更操作が行われる。また、球使用回胴遊技機は、パチンコ機と同様、遊技機背面側がむき出しに開放された構成となっている。このため、遊技機前後方向から設定キースイッチが設定変更キーに不正に挿入され、設定変更が行われるおそれが生じる。
【特許文献１】特開２００５−１９２７２３号公報
【発明の開示】
【発明が解決しようとする課題】
【０００６】
本発明は、不正な設定変更行為に対する抑止力を発揮することができる遊技機を提供することを目的とするものである。
【課題を解決するための手段】
【０００７】
以下、上記課題を解決するのに有効な手段等につき、必要に応じて効果等を示しつつ説明する。なお以下においては、理解の容易のため、発明の実施の形態において対応する構成を括弧書き等で適宜示すが、この括弧書き等で示した具体的構成に限定されるものではない。
【０００８】
手段１．遊技に関する内部状態を可変設定する設定変更機能を具備し、所定の設定操作に伴い前記内部状態の設定変更が行われる遊技機において、
一体化状態で設けられ、かつ互いの分離が可能な第１構成体（面替えブロック１４）及び第２構成体（払出ブロック１５）と、
操作部（キー挿入口２４５ａ）に対する所定の有効化操作により前記設定操作を有効化する設定有効化装置（設定キースイッチ２４０）とを備え、
前記設定有効化装置を、前記第１構成体と前記第２構成体とが一体化状態にある場合に前記第１構成体の少なくとも一部（ケース部材１００の下面部１００ｂ等）が前記操作部と接近して対向することで前記有効化操作が阻止され、前記第１構成体と前記第２構成体との分離動作に伴い前記第１構成体の少なくとも一部が前記操作部と対向しなくなることで前記有効化操作の阻止状態が解除されるように前記第２構成体に設置したことを特徴とする遊技機。
【０００９】
手段１の遊技機は、遊技に関する内部状態を可変設定する設定変更機能を具備しており、所定の設定操作に伴い内部状態の設定変更が行われる。第１構成体及び第２構成体は一体化状態で設けられ、かつ互いの分離が可能となっている。また、設定有効化装置は、操作部に対して有効化操作が行われることにより前記設定操作を有効化する。この場合、設定操作が有効化される状態下で現実に設定操作が行われることで、内部状態の設定変更が有効に実施される。
【００１０】
ここで特に、第１構成体と第２構成体とが一体化状態にある場合に第１構成体の少なくとも一部が操作部と接近して対向することで有効化操作が阻止され、かつ第１構成体と第２構成体との分離動作に伴い前記一部が操作部と対向しなくなることで有効化操作の阻止状態が解除されるようにしたため、第１構成体と第２構成体とを分離させない限りは、操作部に対して有効化操作を行うことができない。故に、例えば不正行為者がホール管理者などに発見されないように操作部に対して有効化操作を行おうとしても、それが困難なものとなっている。これにより、不正な設定変更行為に対する抑止力を発揮することができるようになる。
【００１１】
手段２．遊技に関する内部状態を可変設定する設定変更機能を具備し、所定の設定操作に伴い前記内部状態の設定変更が行われる遊技機において、
遊技機前後方向に所定幅をもって構成される第１構成体（面替えブロック１４）と、
前記第１構成体に一体化状態で設けられ、かつ同第１構成体との分離が可能な第２構成体（払出ブロック１５）と、
操作部（キー挿入口２４５ａ）に対する所定の有効化操作により前記設定操作を有効化する設定有効化装置（設定キースイッチ２４０）とを備え、
前記設定有効化装置を、前記第１構成体と前記第２構成体とが一体化状態にある場合に前記第１構成体の前後幅部分（ケース部材１００の下面部１００ｂ等）が前記操作部と接近して対向することで前記有効化操作が阻止され、前記第１構成体と前記第２構成体との分離動作に伴い前記前後幅部分が前記操作部と対向しなくなることで前記有効化操作の阻止状態が解除されるように前記第２構成体に設置したことを特徴とする遊技機。
【００１２】
手段２の遊技機は、遊技に関する内部状態を可変設定する設定変更機能を具備しており、所定の設定操作に伴い内部状態の設定変更が行われる。第１構成体は遊技機前後方向に所定幅を有しており、第２構成体は第１構成体に一体化状態で設けられかつその第１構成体との分離が可能となっている。また、設定有効化装置は、操作部に対して有効化操作が行われることにより前記設定操作を有効化する。この場合、設定操作が有効化される状態下で現実に設定操作が行われることで、内部状態の設定変更が有効に実施される。
【００１３】
ここで特に、第１構成体と第２構成体とが一体化状態にある場合に、遊技機前後方向に所定幅をもって構成される第１構成体の前後幅部分が操作部と対向するようにしたため、操作部の向きが遊技機前後方向とは異なる向きとなる。したがって、遊技機前後方向から操作部に対して有効化操作を行うことが困難なものとなる。また、第１構成体と第２構成体とが一体化状態にある場合に前後幅部分が操作部と接近して対向することで有効化操作が阻止され、かつ第１構成体と第２構成体との分離動作に伴い前後幅部分が操作部と対向しなくなることで有効化操作の阻止状態が解除されるようにしたため、第１構成体と第２構成体とを分離させない限りは、操作部に対して有効化操作を行うことができない。故に、例えば不正行為者がホール管理者などに発見されないように操作部に対して有効化操作を行おうとしても、それが困難なものとなっている。これにより、不正な設定変更行為に対する抑止力を発揮することができるようになる。
【００１４】
手段３．手段２において、前記第１構成体と前記第２構成体とが一体化状態にある場合にそれら構成体を分離不可の状態で結合する結合部を設けたことを特徴とする遊技機。
【００１５】
手段３によれば、第１構成体と第２構成体とを結合部により分離不可の状態で結合することでそれら構成体の一体化状態が保持され、結合部による結合を解除することでそれら構成体が分離される。したがって、結合部による結合状態を解除しない限りは第１構成体と第２構成体とを分離状態とすることができず、それら構成体を分離状態としない限りは操作部に対して有効化操作を行うことができない。故に、仮に不正行為者が不正に設定変更行為を行おうとしても余分な手間がかかり、それによって不正行為の抑止力を効かせることができる。
【００１６】
手段４．手段２又は手段３において、遊技機前面部を構成し、前方に開放動作可能に設けられた遊技機前面体（ドアブロック１３）を備え、
前記遊技機前面体が閉鎖状態にある場合に前記第１構成体と前記第２構成体との分離動作を不可能とし、前記遊技機前面体が開放状態にある場合に前記第１構成体と前記第２構成体との分離動作を可能とする構成としたことを特徴とする遊技機。
【００１７】
手段４によれば、遊技機前面体が閉鎖状態にある場合に第１構成体と第２構成体との分離動作を不可能とし、開放状態にある場合に分離動作を可能とした。したがって、操作部に対して有効化操作を行うべく第１構成体と第２構成体とを分離状態とするには遊技機前面体を開放状態とすることが要件となる。故に、仮に不正行為者が不正に設定変更行為を行おうとしても余分な手間がかかり、それによって不正行為の抑止力を効かせることができる。
【００１８】
手段５．手段４において、前記遊技機前面体が閉鎖状態にある場合に当該遊技機前面体の開放動作を不可とする施錠装置（施錠装置６０）を備えたことを特徴とする遊技機。
【００１９】
手段５によれば、施錠装置の施錠によって、遊技機前面体の開放動作が不可となっており、施錠装置の施錠を解くことで遊技機前面体の開放動作が可能となる。この場合、操作部が前後幅部分と接近して対向する状態としたり、前記操作部が前後幅部分と対向しない状態としたりすることが厳密に管理でき、より確かな不正対策が実現できる。
【００２０】
手段６．手段２乃至手段５のいずれかにおいて、前記設定有効化装置を、前記第１構成体と前記第２構成体とが一体化状態にある場合に前記前後幅部分が前記操作部を覆うように前記第２構成体に設置したことを特徴とする遊技機。
【００２１】
手段６によれば、第１構成体と第２構成体とが一体化状態にある場合に第１構成体の前後幅部分が操作部を覆うようにしたため、操作部に対して有効化操作が不正に行われることをより好適に阻止することができる。
【００２２】
手段７．手段２乃至手段６のいずれかにおいて、前記第１構成体及び前記第２構成体がそれぞれ回動可能に軸支されているとともに、それら構成体の回動により前記一体化及び分離を行う構成としたことを特徴とする遊技機。
【００２３】
手段７によれば、第１構成体又は第２構成体を回動させることでそれら構成体の一体化や分離が行われるようにした。したがって、第１構成体又は第２構成体を単に回動させて一体化状態とすることで第１構成体の前後幅部分を操作部と接近させて対向させることができ、その操作部に対する有効化操作を阻止することができる。これにより、比較的簡易な構成にて、設定変更が不正に行われることを抑制することができる。
【００２４】
手段８．手段２乃至手段７のいずれかにおいて、前記第１構成体と前記第２構成体とが一体化状態にある場合に前記操作部よりも接近した位置で前記前後幅部分に対向する対向部位（突出板１７６）を前記第２構成体に設けるとともに、
前記対向部位に、前記操作部に通じる操作用開口部（開口窓部２６５）を設けたことを特徴とする遊技機。
【００２５】
手段８によれば、第２構成体において、設定有効化装置の操作部よりも第１構成体の前後幅部分に接近した対向部位に操作部に通じる操作用開口部を設けたため、操作部が対向部位よりも前後幅部分の反対側に没入した状態となる。したがって、操作部に対する有効化操作を行う際、その有効化操作を行うために操作具や手などを操作用開口部に差し込むこととなる。これにより、操作部が前後幅部分に対向しない状態（露出状態）にある場合でも操作部に対する有効化操作を制限することができる。故に、操作部に対して有効化操作が不正に行われることを抑制することができる。
【００２６】
手段９．手段８において、前記操作用開口部の周りに、前記前後幅部分と前記対向部位との間の隙間を遮蔽する遮蔽部（上面起立部１７７、連結壁部１７８、連結起立部１７９）を設けたことを特徴とする遊技機。
【００２７】
手段９によれば、操作用開口部の周りにて第１構成体と第２構成体との間の隙間を遮蔽部により遮蔽したため、仮に、第１構成体と第２構成体との間の隙間を通じて操作部に対する有効化操作を行おうとしても、それが困難なものとなっている。故に、操作部に対して有効化操作が不正に行われることをより好適に抑制することができる。
【００２８】
手段１０．手段２乃至手段９のいずれかにおいて、前記第１構成体に、絵柄を可変表示する絵柄表示装置（リール装置８２）を設け、
前記設定有効化装置を、前記第１構成体と前記第２構成体とが一体化状態にある場合に前記絵柄表示装置の上下又は左右の側面部（ケース部材１００の下面部１００ｂ等）が前記前後幅部分として前記操作部と接近して対向するように前記第２構成体に設置したことを特徴とする遊技機。
【００２９】
手段１０によれば、第１構成体の前後幅部分として絵柄表示装置の上下又は左右の側面部を設定有効化装置の操作部と接近させて対向させたため、操作部と接近させて対向させるための部材等を新たに第１構成体に設けることなく操作部に対する有効化操作の実行を阻止することができる。したがって、遊技機のコストアップを抑制しつつ、設定変更が不正に行われることを抑制することができる。
【００３０】
手段１１．手段１０において、前記絵柄表示装置は、周方向に周回すると共にその周方向に複数種の絵柄（図柄）が付された複数の周回体（リール１０１〜１０３）と、前記周回体を囲うケース部材（ケース部材１００）とを有し、
前記設定有効化装置を、前記第１構成体と前記第２構成体とが一体化状態にある場合に前記ケース部材の上下又は左右の側面部（ケース部材１００の下面部１００ｂ等）が前記前後幅部分として前記操作部と接近して対向するように前記第２構成体に設置したことを特徴とする遊技機。
【００３１】
手段１１によれば、ケース部材の上下又は左右の側面部を第１構成体の前後幅部分としたため、設定有効化装置の平坦部分を操作部と接近させて対向させることが可能となる。したがって、第１構成体と第２構成体とが一体化状態にある場合に操作部を好適に覆うことが可能となり、操作部に対して有効化操作が不正に行われることをより確実に阻止することができる。
【００３２】
手段１２．手段１０又は手段１１において、前記設定有効化装置を、前記第１構成体と前記第２構成体とが一体化状態にある場合に前記操作部が前記絵柄表示装置側を向くように前記第２構成体に設置したことを特徴とする遊技機。
【００３３】
手段１２によれば、第１構成体と第２構成体とが一体化状態にある場合に操作部が絵柄表示装置側を向くように設定有効化装置を第２構成体に設置したため、前記一体化状態のまま操作部に対して有効化操作を不正に行うべく設定有効化装置に孔等を穿設しようとしても、設定有効化装置を貫通する孔を穿設することは非常に困難なものとなる。したがって、設定変更が不正に行われることを抑制することができる。
【００３４】
手段１３．手段２乃至手段１２のいずれかにおいて、前記操作部として、設定変更キーが挿入可能なキー挿入部（キー挿入口２４５ａ）を設け、
前記操作部に対する有効化操作は、前記キー挿入部への前記設定変更キーの挿入、又は前記キー挿入部に挿入した状態での前記設定変更キーの操作であることを特徴とする遊技機。
【００３５】
手段１３によれば、キー挿入部への設定変更キーの挿入、又はキー挿入部に挿入した状態での設定変更キーの操作を操作部に対する有効化操作とした。このため、設定操作を有効化するには、設定変更キーをキー挿入部に挿入することが要件となる。したがって、仮に不正行為者が不正に設定変更行為を行おうとしても設定変更キーがなければそれを行うことができない。故に、不正行為を抑制することができる。
【００３６】
手段１４．手段１３において、前記設定有効化装置を、前記キー挿入部のキー差込方向が遊技機正面方向に対して直交する方向となるように前記第２構成体に設置したことを特徴とする遊技機。
【００３７】
手段１４によれば、キー挿入部のキー差込方向（設定変更キーを差し込む方向）が遊技機正面方向に対して直交する方向となるように設定有効化装置を設置したため、キー挿入部が露出して設定変更キーを挿入可能な状態となっている場合でも、不正に設定変更キーをキー挿入部に挿入して設定変更を行うことが困難となる。したがって、不正な設定変更行為に対する抑止力を発揮することができるようになる。
【００３８】
手段１５．手段１３又は手段１４において、前記設定有効化装置を、前記第１構成体と前記第２構成体との分離動作に伴って前記前後幅部分が相対的に移動する方向が前記キー挿入部のキー差込方向と直交する方向となるように前記第２構成体に設置したことを特徴とする遊技機。
【００３９】
手段１５によれば、第１構成体と第２構成体との分離動作に伴って第１構成体の前後幅部分が相対的に移動する方向がキー挿入部のキー差込方向と直交する方向となるように構成したため、第１構成体と第２構成体とが分離されても所定の分離状態に達するまではキー挿入部の全体が露出しないこととなる。したがって、第１構成体と第２構成体とを一体化状態とした場合のみならず、第１構成体と第２構成体とをある程度分離するまでは設定変更キーをキー挿入部に挿入することができない。このため、例えば、不正行為者がホール管理者などに発見されないように第１構成体と第２構成体とを少しだけ分離させ、キー挿入部に設定変更キーを不正に挿入しようとしても、それを行うことができないようになっている。故に、設定変更が不正に行われることをより好適に抑制することができる。
【００４０】
手段１６．手段２乃至手段１５のいずれかにおいて、前記設定有効化装置を、前記操作部が遊技機正面方向に対して上方または下方を向くようにして前記第２構成体に設置したことを特徴とする遊技機。
【００４１】
手段１６によれば、操作部が遊技機正面方向に対して上方又は下方を向くようにして設定有効化装置を設置したため、第１構成体と第２構成体が分離状態にある場合でも、遊技機正面方向に対して前後方向からはもちろんのこと左右方向から操作部を視認することが困難なものとなる。ここで、不正行為者は不正に設定変更を行う際、第１構成体と第２構成体とを少しだけ分離させ、遊技機の左右に生じた隙間を通じて操作部に対する有効化操作を行うと考えられる。この点、左右方向からの操作部の視認が困難となる構成としたため、不正に設定変更が行われることを抑制することができる。
【００４２】
手段１７．手段２乃至手段１６のいずれかにおいて、前記設定有効化装置を、前記第１構成体と前記第２構成体との一体化又は分離の状態に関わらず遊技機背面側から前記操作部が見えないように前記第２構成体に設置したことを特徴とする遊技機。
【００４３】
手段１７によれば、第１構成体と第２構成体との一体化又は分離の状態に関わらず遊技機背面側から操作部が見えないため、不正行為者が不正な設定変更を行おうとする場合に操作部を見つけること自体に困難性が生じる。したがって、例えば第１構成体と第２構成体の分離動作が不正に行われても、操作部に対する有効化操作を遊技機背面側から行うことが困難なものとなる。故に、操作部に対する有効化操作が不正に行われることを抑制することができる。
【００４４】
手段１８．手段２乃至手段１７のいずれかにおいて、遊技ホール等の島設備に設置された状態で、前記設定有効化装置を含んでなる設定有効化ユニット（電源装置１５４）の少なくとも一部が遊技機背面側に露出し、
前記設定有効化ユニットは、各種の電気部品を実装した制御基板（電源基板２０１）を基板ケース（基板ケース２０２）内に収容してなる遊技機であって、
前記設定有効化装置を、前記基板装置の電気部品実装面の逆側であってかつ前記前後幅部分と接近して対向するように前記第２構成体に設けたことを特徴とする遊技機。
【００４５】
この種の遊技機では、一般に電気部品実装面が遊技機背面側に露出するようにして設定有効化ユニットが装着される。この点を考えると、基板装置の電気部品実装面の逆側（非実装面側）に設定有効化装置を設けることにより、設定有効化装置が外部から見えないようになる。さらに、設定有効化装置を第１構成体の前後幅部分と接近して対向するように設けたため、単に第１構成体と第２構成体を一体化状態とすることで、操作部に対して有効化操作が行われることを阻止することが可能となる。故に、比較的簡易な構成にて、不正な設定変更行為に対する抑止力をより好適に発揮することができるようになる。
【００４６】
手段１９．手段１８において、前記設定操作を行うための設定操作部材（リセットスイッチ２０６）を、前記基板装置の電気部品実装面と同側に設けたことを特徴とする遊技機。
【００４７】
手段１９によれば、所定の設定操作を行うための設定操作部材を、基板装置の電気部品実装面と同側に設けた。この場合、設定有効化装置と設定操作部材とは基板装置を挟んで両側にそれぞれ設けられることとなり、設定操作部材のみが遊技機背面側に露出していても、遊技機前面体が閉鎖状態である場合は、設定有効化装置の操作部に対する有効化操作と、設定操作部材に対する設定操作とをまとめて行うことができない。したがって、不正な設定変更を簡易に行うことができなくなり、更に進んだ不正対策が可能となる。
【００４８】
手段２０．手段１乃至手段１９のいずれかにおいて、遊技機前方から視認可能な位置に設けられ、複数種の絵柄が変動表示される複数の絵柄表示領域（リール１０１〜１０３、透明パネル２４）と、遊技機前面部にて遊技球を貯留する貯留部（上皿４１）と、該貯留部に貯留された遊技球を取り込む取込装置（取込ユニット６５）と、該取込装置による遊技媒体の取り込みを開始させるべく操作される取込開始操作手段（ベットスイッチ３８）と、各絵柄表示領域における絵柄の変動表示を開始させるべく操作される始動操作手段（スタートレバー３３）と、該各絵柄表示領域における絵柄の変動表示を停止させるべく操作される複数の停止操作手段（ストップスイッチ３５〜３７）とを備え、
前記取込装置により所定数の遊技媒体が取り込まれ、さらに前記始動操作手段が操作された場合に、各絵柄表示領域における絵柄の変動表示を開始させ、絵柄の変動表示の停止後に各絵柄表示領域に表示されている絵柄により所定絵柄又は所定絵柄の組み合わせが成立していた場合には遊技者に特典が付与される構成としたことを特徴とする遊技機。
【００４９】
手段２０によれば、パチンコ機とスロットマシンとが融合した遊技機に対して上記手段１乃至手段１９のいずれかの効果を享受することができる。
【００５０】
手段２１．手段１乃至手段１９のいずれかにおいて、遊技機前方から視認可能な位置に設けられ、複数種の絵柄が変動表示される複数の絵柄表示領域と、各絵柄表示領域における絵柄の変動表示を開始させるべく操作される始動操作手段と、該各絵柄表示領域における絵柄の変動表示を停止させるべく操作される複数の停止操作手段とを備え、
遊技メダルの受入完了状態で前記始動操作手段が操作された場合に各絵柄表示領域における絵柄の変動表示を開始させ、絵柄の変動表示の停止後に、各絵柄表示領域に表示されている絵柄により所定絵柄又は所定絵柄の組み合わせが成立していた場合には遊技者に特典が付与される構成としたことを特徴とする遊技機。
【００５１】
手段２１によれば、いわゆるスロットマシンに対して上記手段１乃至手段１９のいずれかの効果を享受することができる。
【発明を実施するための最良の形態】
【００５２】
以下に、遊技球を遊技媒体として用いて遊技を行う遊技球使用回胴遊技機に関する一実施の形態につき図面に基づいて説明する。
【００５３】
本実施の形態における遊技機は、遊技に際して所定数の遊技媒体（遊技価値）としての遊技球（例えばパチンコ機と同様の遊技球：パチンコ球）の取込を必要とし、所定条件が成立した場合には複数の遊技球、場合によっては大量の遊技球が払い出されるよう構成されている。本遊技機には、遊技ホール等においてパチンコ機と共通の遊技球供給システムから遊技球の供給がなされるようになっており、パチンコ機が設置される既存の島設備（パチンコ島）に本遊技機を設置することが可能となっている。
【００５４】
（遊技機１０の概略説明）
まず、遊技機１０の外観構成及び内部構造の概略を説明する。ここで、図１は遊技機１０の全体を示す斜視図、図２及び図３は遊技機１０の内部開放状態を示す斜視図である。なお以下の説明においては、特に注記しない限りは、遊技機１０の正面から見た状態を基準として左右上下などの方向を記載することとする。
【００５５】
遊技機１０は、本体枠としての外枠１１と、この外枠１１に対して前方に回動可能に取り付けられた遊技機主部１２とを有する。外枠１１は木製の板材を四辺に連結し構成されるものであって、全体として矩形状をなしている。本遊技機１０を遊技ホールに設置する際には、外枠１１が島設備に取り付け固定される。外枠１１を合成樹脂やアルミニウム等の金属によって構成することも可能である。
【００５６】
遊技機主部１２は、扉体ユニットであるドアブロック１３と、絵柄表示ユニットである面替えブロック１４と、遊技球の払出ユニットである払出ブロック１５とから構成されている。ドアブロック１３には上下２カ所にヒンジ金具１８が設けられており、このヒンジ金具１８と外枠２側の上下２カ所の支持金具１９とにより、ドアブロック１３（遊技機主部１２）が外枠１１に対して回動可能に支持されている。この場合、遊技機１０を正面から見て左側に回動軸線が設けられる構成となっており、遊技機主部１２は正面から見て右側を回動先端部として開放される。外枠１１に対して遊技機主部１２が閉じた状態では、ドアブロック１３の外周縁部の背面が外枠１１の前面に当接するようになっている。
【００５７】
面替えブロック１４はドアブロック１３の背面側に取り付けられ、更に面替えブロック１４を背面側から覆うようにして払出ブロック１５が取り付けられている。これら面替えブロック１４と払出ブロック１５は、ドアブロック１３の一部にそれぞれ回動可能に支持されており、外枠１１に対してドアブロック１３と一体で回動可能となるとともに、ドアブロック１３に対して各々個別に回動可能となる構造を有する。なお、本実施の形態では、面替えブロック１４が「第１構成体」に相当し、払出ブロック１５が「第２構成体」に相当する。
【００５８】
（ドアブロック１３の説明）
ドアブロック１３は、前記外枠１１とほぼ同等の大きさ（縦寸法及び横寸法）を有する前扉体２１と、その前扉体２１の背面側に重なるようにして取り付けられる内枠２２とを備えている。前扉体２１及び内枠２２はいずれも合成樹脂材料により成形されており、背後より複数箇所でネジ締めすることにより結合されている。前扉体２１には、後述するリール図柄や液晶図柄等を視認可能とするための視認窓２３が形成されており、その視認窓２３には、平坦な透明板よりなりかつ視認窓２３とほぼ同形状をなす透明パネル２４がはめ込まれている。
【００５９】
前扉体２１の前面側において、視認窓２３の上方には中央ランプ部２５が設けられるとともに、同視認窓２３の左右両側方には左右一対の側方ランプ部２６が設けられ、さらに前扉体２１の右上隅部及び左上隅部にはスピーカ部２７が設けられている。遊技に際しては、これらランプ部２５，２６やスピーカ部２７により、その都度の遊技状況に応じたランプ演出や音声演出等が行われる。すなわち、ランプ部２５，２６による発光色や発光パターンを適宜変更したり、スピーカ部２７による音声パターンを適宜変更したりすることで、役の成立等が遊技者に告知される。また、このランプ部２５，２６やスピーカ部２７を用いて、エラー告知等を行うことも可能である。
【００６０】
視認窓２３の下方には、遊技者により操作される各種操作部材等を配備した操作部３０が設けられている。この操作部３０は、全体として横長であってかつ僅かに弧状をなす前面板部３１を有し、その前面板部３１には、スタートレバー３３が設けられるとともに、３連ボタンからなるストップスイッチ３５，３６，３７が設けられている。また、前面板部３１の上端部において、向かって左寄りの位置（概ねスタートレバー３３と左側のストップスイッチ３５との間）にはボタン状のベットスイッチ３８が取り付けられている。
【００６１】
ベットスイッチ３８は、遊技者によるベット（賭数）の設定を行わせるものであり、その押し操作により上皿４１に貯留された遊技球が所定個数分（ベット相当分）取り込まれる。本実施の形態では、ベットスイッチ３８として、いわゆるＭＡＸベットスイッチを設けており、有効な１回の押し操作により３ベット相当（１５個分）の遊技球が取り込まれる。ベットスイッチ３８は、投資価値としての遊技球の投入を指令する投入指令手段を構成する。なお、ＭＡＸベットスイッチとしてのベットスイッチ３８の他に、１ベットスイッチや２ベットスイッチを設ける構成であっても良い。ちなみに、１ベットスイッチは、１回の押し操作により１ベット相当（５個分）の遊技球を取り込ませるためのベットスイッチであり、２ベットスイッチは、１回の押し操作により２ベット相当（１０個分）の遊技球を取り込ませるためのベットスイッチである。
【００６２】
スタートレバー３３は、後述するリール装置８２の各リール（回転体）を回転開始させるための操作部材であり、各リールを回転開始、すなわち図柄の可変表示を開始させるべく操作される始動操作手段を構成する。
【００６３】
ストップスイッチ３５〜３７は、停止対象となるリール（左、中、右の三列のリール）に対応するよう設けられており、回転中の各リールを個別に停止させるために操作される停止操作手段を構成する。各ストップスイッチ３５〜３７は、各リールが定速回転となると停止させることが可能な状態となり、その状態で押し操作される。また、停止操作可能な状態中には図示しないランプが点灯表示されることによって停止操作が可能であることが報知され、各リールの回転が停止すると消灯されるようになっている。
【００６４】
操作部３０の後方は上方に開口した横長状の開口となっており、その開口に上皿４１が取り付けられている。上皿４１は、島設備の球貸し装置から貸し出された遊技球や、払出装置より払い出された遊技球を一旦貯留するための受け皿部材を構成しており、この上皿４１により遊技球貯留領域が形成されている。図示による詳しい説明は省略するが、上皿４１の最下流部には三列の遊技球案内通路が形成されており、上皿４１に貯留された遊技球は、三列に整列された状態で順次取り込まれるようになっている。
【００６５】
上皿４１の右端部に設けられたカバー４２には、貸球操作を行うための貸球操作部４３が設けられている。貸球操作部４３は、例えば本遊技機１０の側方（例えば左方）に配置された縦長のカードユニット（球貸しユニット）に紙幣やカード等を投入した状態で、球貸し操作や、カード等の返却操作及び有効度数の確認を行うものであり、球貸しボタンが押し操作されることにより貸出球が払い出されるようになっている。
【００６６】
前扉体２１において、向かって右端部（すなわちドアブロック１３の開閉軸部とは逆側）には、外枠１１に対する遊技機主部１２（ドアブロック１３）の施錠及び解錠を行うための施錠部材（詳細には、後述する施錠装置６０のキーシリンダ）を前方に露出させるためのキーシリンダ設置穴４５が形成されている。
【００６７】
更に、前扉体２１において、操作部３０の下方には、該操作部３０と同様に遊技機手前側に膨出する膨出部５０が形成されており、その膨出部５０に囲まれるようにして下皿５１が形成されている。上皿４１やその上流通路に遊技球が満タンに貯留されている状態であって更に払出装置から遊技球が払い出される場合、或いは、上皿４１内に貯留されている遊技球に対して球抜き操作が行われる場合には、下皿排出口５２を介して下皿５１に遊技球が排出されるようになっている。下皿５１の底部には開口が形成されており、その開口には開閉板５３が設けられている。また、膨出部５０の略中央部には、下皿５１の球抜きを行うための球抜き操作片５４が設けられている。その他、膨出部５０において下皿５１の左右両側方には下皿ランプ部５６が設けられている。
【００６８】
ドアブロック１３の裏面側において、内枠２２には、ドアブロック１３及び払出ブロック１５を開放不能な施錠状態で保持するための施錠装置６０が設けられている。この施錠装置６０によって、外枠１１に対してドアブロック１３を閉じた状態でその状態が保持されるとともに、ドアブロック１３に対して払出ブロック１５を閉じた状態でその状態が保持されるようになっている。また、図示しないキーシリンダの解錠操作に伴いドアブロック１３や払出ブロック１５の施錠状態が解除されるようになっている。このとき、キーシリンダの解錠操作により、ドアブロック１３、面替えブロック１４及び払出ブロック１５の閉鎖保持状態が解除され、払出ブロック１５に対してドアブロック１３及び面替えブロック１４のそれぞれが開放状態となる。
【００６９】
また、内枠２２には、遊技者による操作（ベット入力操作）に基づき遊技球を所定個数ずつ取り込むための取込ユニット６５が設けられている。この取込ユニット６５による所定個数分の遊技球の取込により毎回の遊技（ゲーム）の開始条件が成立し、遊技開始の準備が整えられるようになっている。なお、取込ユニット６５は３個の取込装置から構成されており、３個遊技球を同時に取り込むことができるようになっている。
【００７０】
（面替えブロック１４の説明）
次に、面替えブロック１４について説明する。図４は面替えブロック１４を斜め前方より見た斜視図、図５は同面替えブロック１４を斜め後方から見た斜視図、図６は同面替えブロック１４の側面図である。
【００７１】
面替えブロック１４は主要な構成として、合成樹脂製の前面枠８１と、図柄表示装置としてのリール装置８２と、補助演出装置としての液晶表示装置８３と、遊技に関わる主たる各種制御を実施する主制御装置８４と、主制御装置８４からの指令に基づく従たる表示制御等を実施する表示制御装置８５とを備えている。本実施の形態では、面替えブロック１４は、本遊技機１０の遊技内容を決定する主要部品を全て備える構成となっており、仮に遊技ホール等において機種入替を行う場合には、この面替えブロック１４を現機種のものから新たな機種のものに入れ替えることで機種入替を行うことができるようになっている。すなわち、面替えブロック１４は機種入替時などにおける交換ユニットとなっている。
【００７２】
前面枠８１は正面から見てほぼ正方形状をなしており、その前面部において略台形状に縁取られた部位が、前扉体２１の視認窓２３にほぼ一致する形状及び大きさとなっている。この場合、面替えブロック１４をドアブロック１３に組み付けた状態では、前面枠８１のほぼ全面が前扉体２１の視認窓２３から視認可能となっている。
【００７３】
前面枠８１の前面部には、横長の矩形状をなす表示窓９１が設けられるとともに、その表示窓９１の上方に同じく横長の矩形状をなす表示窓９２が設けられている。表示窓９１，９２のうち、下側の表示窓９１は、リール装置８２の外周に付されたリール図柄を表示するためのリール図柄表示部に相当し、上側の表示窓９２は、液晶表示装置８３による表示画像を表示するための液晶画像表示部に相当する。下側表示窓９１の右側には情報表示基板９３が設けられている。この情報表示基板９３には、小役成立時における獲得球数を表示する獲得球数表示部や、ビッグボーナスやレギュラーボーナス等の特別遊技状態の際に例えば残りのゲーム数等を表示するゲーム数表示部が設けられている。これら表示部は７セグメント表示器によって構成されるが、液晶表示器等によって代替することは当然可能である。
【００７４】
リール装置８２は、金属製のケース部材１００と、そのケース部材１００に収容される左・中・右の３つのリール１０１，１０２，１０３とを具備している。ケース部材１００は、その内部に３つのリール１０１〜１０３を回転可能に収容し、かつ該リール１０１〜１０３の一部を前方に現出させるものとなっている。ケース部材１００において、リール１０１〜１０３の上方に位置する上面部１００ａはリール装置８２の上面を形成し、同じく下方に位置する下面部１００ｂはリール装置８２の下面を形成している。上面部１００ａ及び下面部１００ｂの前側端部にはそれぞれ支持固定部が設けられ、これら支持固定部が前面枠８１に対して固定されることにより、リール装置８２が前面枠８１の背面側に装着されるようになっている。
【００７５】
各リール１０１〜１０３の構成については周知であるため、ここでは詳しい図示を省略し、その構成を簡単に説明する。各リール１０１〜１０３は、円筒状のかごを形成する円筒骨格部材と、その外周に巻回された帯状のベルトとを備えている。ベルトの外周面には、識別情報としての図柄が等間隔ごとに多数印刷されている。各リール１０１〜１０３の中央部には、駆動源としてのステッピングモータが設けられており、該ステッピングモータの駆動により各リール１０１〜１０３が個別に、すなわちそれぞれ独立して回転駆動される。
【００７６】
主制御装置８４は、ＣＰＵやメモリ等の電子部品が実装された主制御基板と、この主制御基板を収容するための略直方体形状の基板ケースとから構成されている。基板ケースは透明な合成樹脂材料にて成形されており、この透明な基板ケースによってその内部の主制御基板が視認可能となっている。なお、基板ケースには、封印手段としての封印部（いわゆるカシメ部）ｆ１が設けられている。封印部ｆ１は、破壊等を伴うことで基板ケースを開封可能とするものであり、開封後には破壊などがなされた部材が開封履歴として残るため、その開封履歴によって開封事実の確認が可能となっている。これにより、仮に基板ケースが不正に開封された場合などにおいては、封印部ｆ１の確認によって不正行為の発見が可能となっている。
【００７７】
一方、表示制御装置８５は、ＣＰＵやメモリ等の電子部品が実装された表示制御基板と、この表示制御基板を収容するための略直方体形状の基板ケースとから構成されている。基板ケースは透明な合成樹脂材料にて成形されており、この透明な基板ケースによってその内部の表示制御基板が視認可能となっている。かかる場合、主制御装置８４は主制御基板の電子部品実装面が外方を向くようにして配置され、また表示制御装置８５は表示制御基板の電子部品実装面が後方側の斜め上方を向くようにして配置されている。こうした配置により、主制御基板や表示制御基板に対する不正確認が容易となっている。
【００７８】
上記構成の面替えブロック１４では、前面枠８１の上側表示窓９２からは液晶表示装置８３の液晶パネル全体が視認できる。また、同前面枠８１の下側表示窓９１からはリール装置８２の各リール１０１〜１０３の一部が視認できる。このとき、各リール１０１〜１０３の外周に付された多数の図柄のうち、リール毎に３つずつの図柄が下側表示窓９１を通じて視認できるようになっている。
【００７９】
また、面替えブロック１４では、リール装置８２におけるケース部材１００の下面部１００ｂがその下面に露出しており、ケース部材１００の下面部１００ｂが面替えブロック１４の前後幅部分となっている。
【００８０】
（払出ブロック１５の説明）
次に、払出ブロック１５について説明する。図７及び図８は払出ブロック１５の斜視図、図９は払出ブロック１５の背面図、図１０は払出ブロック１５から制御装置類を取り外した状態を示す分解斜視図である。
【００８１】
払出ブロック１５は、合成樹脂材料にて一体成形された裏カバー部材１５１と、遊技球を払い出すための払出機構１５２と、払出制御を司る払出制御装置１５３と、外部電源から生成した電源電圧を各種制御装置やアクチュエータ類などに供給する電源装置１５４とを有しており、これらを一体化することにより構成されている。
【００８２】
裏カバー部材１５１は、払出機構１５２、払出制御装置１５３及び電源装置１５４らを設置するためのベース部１６１と、後方（遊技機１の後方）に突出し略直方体形状をなす保護カバー部１６２とを有する。保護カバー部１６２は左右及び上下の各面と背面とが閉鎖された形状をなし、少なくとも前記面替えブロック１４のリール装置８２、主制御装置８４及び表示制御装置８５を収容するのに十分な大きさを有する。なお図示は省略するが、保護カバー部１６２の背面には多数の通気孔を設けることも可能である。ベース部１６１と保護カバー部１６２とは各々別体にて成形されてネジ等により一体化されているが、これらが一体的に成形される構成であっても良い。
【００８３】
払出機構１５２は、保護カバー部１６２を迂回するようにして裏カバー部材１５１のベース部１６１に取り付けられている。すなわち、払出機構１５２として、裏カバー部材１５１の最上部には上方に開口したタンク１６５が設けられており、タンク１６５には遊技ホールの島設備から供給される遊技球が逐次補給される。タンク１６５の下方には、例えば前後方向４列（４条）の球通路を有し下流側に向けて緩やかに傾斜するタンクレール１６６が連結され、タンクレール１６６の下流側には上下方向に延びるケースレール１６７が連結されている。
【００８４】
ケースレール１６７の最下流部には、遊技球の払出を行うための払出装置１６８が設けられている。払出装置１６８は、払出モータや、該払出モータにより駆動されて払出通路を開閉する払出ゲート部材等を有する構成となっており、払出制御装置１５３からの制御信号により払出モータが駆動され、その駆動に伴い払出通路が開放される。そしてこれにより、必要個数の遊技球の払出が適宜行われる。払出装置１６８から払い出された遊技球は、基本的に上皿４１に排出され、上皿４１内が遊技球が満杯になると、その余剰球が下皿５１に排出されるようになっている。
【００８５】
図８に示すように、ベース部１６１下部には、上皿４１に連通する上皿連通路１７１が形成されている。また、同じくベース部１６１下部には、払出装置１６８から払い出された遊技球を流通させるための払出球通路部１７２が形成され、その払出球通路部１７２の終端部には、下皿５１に連通する下皿連通路１７３が形成されている。その他、払出球通路部１７２に併行して、払出機構１５２内にある遊技球を遊技機外部（島設備側）に排出するための排出球通路部１７４が形成されている。
【００８６】
ベース部１６１下部には、保護カバー部１６２との境界部にて遊技機前方に突出した突出板１７６が設けられている。突出板１７６は、保護カバー部１６２の下面の前方にて左右方向に延びるようにして配設されている。払出ブロック１５に面替えブロック１４を一体化させた（組み付けた）状態では、保護カバー部１６２に収容されるリール装置８２が突出板１７６の上方に位置し、突出板１７６がリール装置８２におけるケース部材１００の下面部１００ｂと対向することとなる。
【００８７】
突出板１７６の上面には、上方に起立した上面起立部１７７が前後方向に延びるように複数形成されており、各上面起立部１７７はその後方端部にて連結壁部１７８により連結されている。図３に示すように、各上面起立部１７７うち２つの上面起立部１７７の間には後述するキー挿入口２４５ａを露出させるための開口窓部２６５が設けられている。前記２つの上面起立部１７７はその前方端部にて連結起立部１７９により連結されている。連結起立部１７９は開口窓部２６５の前方にて突出板１７６から上方に起立するように形成されている。したがって、開口窓部２６５の周りには、その開口窓部２６５を囲むようにして上面起立部１７７、連結壁部１７８及び連結起立部１７９が設けられていることとなる。
【００８８】
払出機構１５２におけるタンクや通路部材類はいずれも導電性を有する合成樹脂材料、例えば導電性ポリカーボネート樹脂にて成形され、その一部にてアースされている。これにより、遊技球の帯電によるノイズの発生が抑制されるようになっている。
【００８９】
払出制御装置１５３は、上述した主制御装置８４等と同様、ＣＰＵやメモリ等の電子部品が実装された払出制御基板と、その払出制御基板を収容する基板ケースとから構成されている。基板ケースは透明な合成樹脂材料にて成形されており、この透明な基板ケースによってその内部の払出制御基板が視認可能となっている。基板ケースには、同ケースを構成する表側及び裏側のケース部材を連結する封印手段としての封印部ｆ２（いわゆるカシメ部）が設けられている。封印部ｆ２は、破壊等を伴うことで基板ケースを開封可能とするものであり、開封後には破壊などがなされた部材が開封履歴として残るため、その開封履歴によって開封事実の確認が可能となっている。これにより、仮に基板ケースが不正に開封された場合などにおいては、封印部ｆ２の確認によって不正行為の発見が可能となっている。
【００９０】
また、払出制御装置１５３の基板ケースには、ナイラッチ（登録商標）等よりなる固定具１８１が上下２カ所に設けられており、他方当該払出制御装置１５３が取り付けられる裏カバー部材１５１のベース部１６１には、被取付孔部１８２が上下２カ所に設けられている（図１０参照）。この場合、払出制御装置１５３を所定の取付位置に配置し、被取付孔部１８２に対して固定具１８１を固定状態とすることにより、裏カバー部材１５１に対する払出制御装置１５３の装着が完了する。なお、裏カバー部材１５１のベース部１６１にはアース用板金１８３が取り付けられている。
【００９１】
（電源装置１５４の説明）
次に、電源装置１５４について説明する。電源装置１５４は、電源電圧生成を行うための電源基板を備えることに加え、ホール管理者などが出玉率を可変設定するための設定キースイッチを備えており、本実施の形態の遊技機１０ではその設定キースイッチの設置手法に特徴を有するため、以下、電源装置１５４に関して詳しく説明する。図１１において、（ａ）は電源装置１５４の側面図、（ｂ）は電源装置１５４の正面図、（ｃ）は電源装置１５４の背面図である。また、図１２，図１３は電源装置１５４の分解斜視図、図１４は設定キースイッチ２４０の分解斜視図である。
【００９２】
電源装置１５４は、電源電圧生成のための各種電気部品が実装された電源基板２０１を有し、その電源基板２０１が、表裏一対のケース体２０３，２０４からなる基板ケース２０２内に収容されている。各種の電気部品については図示を省略しているが、図１２にて見える基板面が電気部品実装面である。電源基板２０１の電気部品実装面側（表面側）を覆うケース体２０３が表ケース体であり、その反対側（裏面側）を覆うケース体２０４が裏ケース体である。各ケース体２０３，２０４は共に透明な合成樹脂材料にて成形されており、基板ケース２０２内に収容された状態でもその内部の電源基板２０１が視認可能となっている。
【００９３】
図１２に示すように、電源基板２０１の電気部品実装面側（表面側）には、本遊技機１０を起動させるための電源スイッチ２０５や、本遊技機１０の各種状態をリセットするためのリセットスイッチ２０６などが設けられている。その他、電源基板２０１には、電源回路を構成するための抵抗やコンデンサ等の種々の電気部品が実装されるとともに、信号線パターンやグランドパターン等が適宜形成されているが、ここでは便宜上図示を省略している。
【００９４】
本遊技機１０は各種データのバックアップ機能を有しており、万一停電が発生した際でも停電時の状態を保持し、停電からの復帰（復電）の際には停電時の状態に復帰できるようになっている。この場合、例えば、遊技ホールの営業が終了する場合のように通常手順で電源を遮断すると遮断前の状態が記憶保持されるが、リセットスイッチ２０６を押しながら電源スイッチ２０５をオンするとバックアップデータがリセットされるようになっている。また、電源スイッチ２０５がオンされている状態でリセットスイッチ２０６を押した場合にはエラー状態がリセットされる。
【００９５】
表裏一対のケース体２０３，２０４は、平面視で電源基板２０１と概ね同じ形状を有しており、両ケース体２０３，２０４の周縁部に設けられた各々の接合部分が接合されることで、電源基板２０１の全体が基板ケース２０２内に収容されるようになっている。表ケース体２０３には、電源スイッチ２０５やリセットスイッチ２０６の位置に合わせて開口部２０８，２０９が形成されており、基板ケース２０２内に電源基板２０１を収容した状態では、この開口部２０８，２０９を通じて基板ケース２０２の表側に電源スイッチ２０５やリセットスイッチ２０６の一部が現出する構成となっている。
【００９６】
その他、表ケース体２０３には、電源基板２０１上に設けられたコネクタ部（図示略）を基板ケース２０２の表側に現出させるための開口部２１１が複数箇所に形成されるとともに、放熱用の多数の小孔部２１２が形成されている。
【００９７】
また、基板ケース２０２には、両ケース体２０３，２０４を開放不能な状態で結合するとともに、仮にその結合が解除された場合に結合解除の痕跡を残すための封印結合部（いわゆるカシメ部）が設けられている。詳しくは、表ケース体２０３及び裏ケース体２０４には、それぞれ内側に突出するようにして筒状の結合突起２２１，２２２が形成されている。これら結合突起２２１，２２２は各ケース体２０３，２０４に２か箇所ずつ設けられており、両ケース体２０３，２０４を接合した状態では、結合突起２２１，２２２の先端部同士が相対向し、各結合突起２２１，２２２の中心部に形成した孔部２２１ａ，２２２ａが同じ軸線上に並ぶよう構成されている。結合突起２２１の孔部２２１ａ（表ケース体２０３側の孔部）は裏ケース体２０４側にのみ開放された有底状の孔部となっているのに対し、結合突起２２２の孔部２２２ａ（裏ケース体２０４側の孔部）は軸方向に貫通する貫通孔となっている。また、電源基板２０１には、裏ケース体２０４に設けた結合突起２２２よりも孔径の大きい円形の孔部２２３が形成されており、電源基板２０１を基板ケース２０２に組み付けた際には孔部２２３によって電源基板２０１と結合突起２２１，２２２との干渉が回避されるようになっている。
【００９８】
上記構成において、電源基板２０１と両ケース体２０３，２０４とを一体化した状態で、各結合突起２２１，２２２の孔部に裏ケース体２０４側から封印ネジがねじ込まれることで、両ケース体２０３，２０４間で封印結合処理（カシメ処理）が施される。このとき、両ケース体２０３，２０４の孔部２２１ａ，２２２ａは封印ネジのネジ部よりも小径となっており、封印ネジがねじ込まれる際には、当該封印ネジによりねじ切りが行われつつネジの締め付けが行われる。
【００９９】
図示による詳細な説明は省略するが、封印ネジは、ドライバ等の締付け工具による締付け時に所定の締付け力以上の負荷がかかると頭部が破断される、いわゆる破断ネジであり、両ケース体２０３，２０４の封印時にネジ頭部が破断されることで、その後はドライバ等によるネジの緩め作業が不可となる。この場合、両ケース体２０３，２０４の封印を解除するには、裏ケース体２０４側の結合突起２２２の周囲に設けた複数箇所（図示の構成では４カ所）の連結部を破断しなければならず、その破断により封印解除の履歴が残るようになっている。
【０１００】
破断ネジに代えて、所定の締付け方向にはねじ回しができるが、その逆の緩め方向にはねじ回しができない、いわゆる一方向ネジ（ワンウェイネジとも称される）を用いることも可能である。
【０１０１】
また、裏ケース体２０４の外側面には設定キースイッチ２４０が取り付けられている。設定キースイッチ２４０は、本遊技機１０の出玉率（当選確率などを含む）をあらかじめ定めた６段階（「設定１」〜「設定６」）のうち１つに設定する、いわゆる設定変更時の設定操作を有効化するための設定有効化装置であり、この設定キースイッチ２４０によって設定変更が有効化された状態で所定の設定操作が行われることにより、遊技機１０の設定変更が有効に行われる。設定変更後、各段階に対応した入賞及び作動にかかる図柄の組み合わせの確率抽選データを使用することにより払出遊技球の出玉調整が行われる。
【０１０２】
上述したように、電源装置１５４には電源スイッチ２０５やリセットスイッチ２０６が設けられており、これら電源スイッチ２０５やリセットスイッチ２０６が電源装置１５４の表側から操作可能となっているのに対し、設定キースイッチ２４０は電源装置１５４の裏側（すなわち、電源スイッチ２０５やリセットスイッチ２０６とは逆側）から操作可能となっている。
【０１０３】
設定キースイッチ２４０に関する構成として、裏ケース体２０４には、基板ケース裏側に段差状に突出するようにして設置段部２３１が形成されており、この設置段部２３１上に設定キースイッチ２４０が設置されるようになっている。設置段部２３１には、ケース内外を連通する開口部２３２が形成されており、その開口部２３２の周囲２カ所にネジ孔２３３が形成されている。また、開口部２３２を挟むようにして図の左右２カ所には、後述する基板２４４を狭持するための基板狭持部２３４が形成されている。なお、基板狭持部２３４には、基板２４４を案内するための略Ｖ字状の案内溝が形成されている。
【０１０４】
図１４に示すように、設定キースイッチ２４０は、スイッチ本体２４１とキースイッチカバー２４２とからなる。この場合、スイッチ本体２４１においては、基板２４４上にキーシリンダ２４５が実装されており、キーシリンダ２４５の先端部にキー挿入口２４５ａが設けられている。また、同じく基板２４４上にはコネクタ端子２４６が設けられている。キースイッチカバー２４２は、四方を囲んだ周囲壁部２４２ａと天板部２４２ｂとよりなり、その周囲壁部２４２ａと天板部２４２ｂの一部を切り欠いて窓部２４７が形成されている。スイッチ本体２４１をキースイッチカバー２４２に取り付けた状態では、窓部２４７からキーシリンダ２４５の先端部（キー挿入口２４５ａ）が現出する。また、キースイッチカバー２４２の内側には、基板２４４を狭持するための基板狭持部２４８が左右２カ所に形成されている。なお、基板狭持部２４８には、基板２４４を案内するための略Ｖ字状の案内溝が形成されている。その他、キースイッチカバー２４２には、裏ケース体２０４側のネジ孔２３３に対応する位置にネジ孔２４９が形成されている。
【０１０５】
そして、キースイッチカバー２４２の基板狭持部２４８に基板２４４の一端側をはめ込むようにして、キースイッチカバー２４２にスイッチ本体２４１を取り付け（図１２に示す状態）、その状態で設定キースイッチ２４０を裏ケース体２０４の設置段部２３１上に設置する。更にその設置後、裏ケース体２０４の内面側からネジ孔２３３，２４９にネジ（図示略）をねじ込み、裏ケース体２０４に対して設定キースイッチ２４０を分離不可な状態とする。このとき、基板２４４の他端側が裏ケース体２０４側の基板狭持部２３４により固定される。
【０１０６】
上記のようにして裏ケース体２０４に設定キースイッチ２４０を取り付けた状態で、当該裏ケース体２０４に、電源基板２０１と表ケース体２０３とが一体化される。この場合、設定キースイッチ２４０を固定するためのネジが裏ケース体２０４の内側からねじ込まれているため、そのネジを基板ケース外側から外すことはできず、設定キースイッチ２４０の取り外しができないようになっている。上記したように基板ケース２０２には封印結合処理が施されるようになっており、この封印結合処理が行われることで設定キースイッチ２４０の取り外しが一層困難なものとなっている。
【０１０７】
ここで特に、設定キースイッチ２４０は、キーシリンダ２４５の軸線方向が電源基板２０１の基板平面方向にほぼ一致するように設けられている、これにより、キー挿入口２４５ａが電源基板２０１の基板平面方向と同じ方向を向くようになっている。電源基板２０１と設定キースイッチ２４０の基板２４４との関係で言えば、それらはほぼ垂直になっている。ただし詳細には、図１５（電源装置１５４を側方から見た略図）に示すように、キーシリンダ２４５の軸線方向Ｊ１は、電源基板２０１の基板平面方向Ｊ２に対して上方へ行くにつれて若干前方にずれるように設定されている。したがって、キーシリンダ２４５のキー挿入口２４５ａは、電源基板２０１の基板平面方向と同じ方向であって、かつ若干前方を向むようになっている。
【０１０８】
また、図１１の（ｂ）に示すように、電源装置１５４を正面から見た場合、設定キースイッチ２４０は基板ケース２０２の背後に完全に隠れるようになっている。これにより、設定キースイッチ２４０を遊技機背面側に装着した場合において、設定キースイッチ２４０に対し遊技機後方から不正等を行うことが困難になるようになっている。
【０１０９】
設定キースイッチ２４０の基板２４４上に設けられたコネクタ端子２４６は、図示しないハーネスを介して電源基板２０１上のコネクタ端子２５１に電気的に接続される構成となっている。この場合、電源基板２０１においてコネクタ端子２５１近傍には、設定キースイッチ２４０（すなわち電源基板２０１の裏面側）から延びるハーネスを電源基板２０１の表面側に導くための切欠孔２５２が形成されている。また、裏ケース体２０４には、その開口部２３２から導き出されるハーネスを電源基板２０１の切欠孔２５２付近まで案内するための案内リブ２５３が形成されている。
【０１１０】
したがって、設定キースイッチ２４０のコネクタ端子２４６から延びるハーネス（図示略）は、裏ケース体２０４の開口部２３２を通じて裏ケース体２０４と電源基板２０１との間の隙間領域に導かれ、さらに案内リブ２５３によって電源基板２０１の切欠孔２５２付近まで案内される。そして、同ハーネスは、切欠孔２５２を通じて電源基板２０１の表面側（電気部品実装面側）に導出されるとともに、その先端部が電源基板２０１上のコネクタ端子２５１に接続されるようになっている。上記構成では、ハーネスが規定のルートで案内されることとなり、電源基板２０１の裏面側において他部材との干渉により損傷するなどの不都合が抑制される。
【０１１１】
要するに、電源基板２０１の裏面側には、表面側に実装される電気部品等のピン状端子が突出しており、ピン状端子の先端部等に接触することでハーネスが破損することが考えられる。この点、上記のように案内リブ２５３によってハーネスが規制ルートで案内されることにより、ピン状端子にハーネスが接触することがなくなり、その結果ハーネスの破損が抑制される。
【０１１２】
また、表ケース体２０３には、内方に突出するようにして角柱状の囲い部２５５が形成されている（図１３参照）。囲い部２５５は、表ケース体２０３の表面部から電源基板２０１まで延びるコネクタ囲い部材であり、この囲い部２５５によって電源基板２０１上のコネクタ端子２５１と切欠孔２５２とが囲まれている。この場合、囲い部２５５によって電源基板２０１上のコネクタ端子２５１と切欠孔２５２とが囲まれることにより、コネクタ端子２５１に対する電源装置表側からの不正行為が抑制されるようになっている。つまり、コネクタ端子２５１に対して不正装置を接続するなどの不正行為ができないようになっている。
【０１１３】
その他に、基板ケース２０２の周縁部には、複数箇所（本実施の形態では５カ所）に取付孔２６１が設けられている。また、裏カバー部材１５１のベース部１６１（ここでは保護カバー部１６２よりも下方部分）には、基板ケース２０２側の取付孔２６１に対応する位置に複数の支柱部２６２が設けられている。したがって、電源装置１５４を支柱部２６２上に載せた状態で、本遊技機１０の背面側から各取付孔２６１にネジ等がねじ込まれることで、電源装置１５４が裏カバー部材１５１のベース部１６１に固定されるようになっている。
【０１１４】
また、図８に示すように、裏カバー部材１５１のベース部１６１には、該ベース部１６１に電源装置１５４を装着した状態でキーシリンダ２４５の先端部（キー挿入口２４５ａ）を裏カバー部材１５１の内側に露出させるための開口窓部２６５が形成されている。この開口窓部２６５は、キーシリンダ２４５を裏カバー部材１５１の内側に現出させるのに足りる程度の大きさを有し、ベース部１６１の突出板１７６を上下方向に貫通するようにして形成されている。
【０１１５】
更に言えば、保護カバー部１６２（リール装置８２の収容領域）と、遊技球の通路構成部（払出球通路部１７２、排出球通路部１７４）との間の空間領域を利用して設定キースイッチ２４０が設置されている。特に、設定キースイッチ２４０は、遊技球の通路構成部（払出球通路部１７２、排出球通路部１７４）と前後に重ならない位置に設けられている。この場合、電源装置１５４を裏カバー部材１５１に装着した状態では、遊技機後方からは設定キースイッチ２４０のキー挿入口２４５ａが見えることはなく、ましてキー挿入口２４５ａに設定変更キーを挿入することができないようになっている。
【０１１６】
電源装置１５４は、基本的に取付孔２６１を用いて遊技機背面側からネジ固定されるが、そのネジ固定は遊技機背面側から行われるため、その取り外しは比較的容易であり、仮にネジが取り外されると電源装置１５４が裏カバー部材１５１から取り外される。この場合、上記のように不正対策として設定キースイッチ２４０のキー挿入口２４５ａを裏カバー部材１５１の内側に現出させるようにしても、その不正対策が効果の無いものとなるおそれがある。
【０１１７】
そこで本遊技機１０では、設定キースイッチ２４０のキースイッチカバー２４２と裏カバー部材１５１のベース部１６１とにそれぞれ、電源装置１５４を裏カバー部材１５１に装着した状態で各々の位置が合致するようにしてネジ小孔２６６，２６７を設ける（図８，図１１参照）。そして、電源装置１５４を裏カバー部材１５１に装着した状態で、同裏カバー部材１５１の内側（すなわち、図８に示す状態で手前側）からネジ小孔２６６，２６７にネジをねじ込む構成とする。これにより、単に遊技機背面側からネジの取り外しが行われるだけでは、電源装置１５４が裏カバー部材１５１から取り外されないようになる。したがって、電源装置１５４の不正な取り外しを抑制することができる。また、上記のように設定キースイッチ２４０のキー挿入口２４５ａを裏カバー部材１５１の内側に露出させるようにした不正対策を、より確かに機能させることができる。
【０１１８】
本実施の形態では、施錠装置６０を解錠操作して各ブロック１３〜１５を分離開放させ、払出ブロック１５に対して面替えブロック１４を開放状態（分離状態）としなければ、設定キースイッチ２４０のキー挿入口２４５ａが露出しない構成となっている。すなわち、払出ブロック１５に対して面替えブロック１４を閉鎖状態（一体化状態）とした場合は、面替えブロック１４のリール装置８２が設定キースイッチ２４０のキー挿入口２４５ａを覆い隠す（被覆する）構成となっている。払出ブロック１５に対して面替えブロック１４を閉鎖状態とした場合におけるリール装置８２によるキー挿入口２４５ａの被覆状態について、図１６を用いて説明する。図１６は設定キースイッチ２４０周辺の縦断面図である。
【０１１９】
図１６では、払出ブロック１５において、設定キースイッチ２４０が突出板１７６よりも下方に位置しており、設定キースイッチ２４０のキー挿入口２４５ａは上方を向いている。キー挿入口２４５ａは突出板１７６よりも下方に没入した状態となっており、突出板１７６の開口窓部２６５を通じて突出板１７６の上方に露出している。
【０１２０】
突出板１７６の上方には面替えブロック１４のリール装置８２が位置しており、キー挿入口２４５ａが開口窓部２６５を通じてリール装置８２におけるケース部材１００の下面部１００ｂと対向している。このため、ケース部材１００の下面部１００ｂによりキー挿入口２４５ａが覆い隠されており、キー挿入口２４５ａへの設定変更キーの挿入が阻止される状態となっている。また、開口窓部２６５を囲むように位置している上面起立部１７７、連結壁部１７８及び連結起立部１７９により、ケース部材１００の下面部１００ｂと突出板１７６との間の隙間が遮蔽されている。したがって、下面部１００ｂと突出板１７６との間の隙間からの設定変更キーなどの差し込みが阻止されている。これにより、キー挿入口２４５ａに設定変更キーを挿入することがより一層困難なものとなっている。
【０１２１】
次に、リール装置８２によるキー挿入口２４５ａの被覆状態について、払出ブロック１５に対する面替えブロック１４の開放状態別に、図１７に基づいて説明する。図１７は設定キースイッチ２４０周辺の略図であり、（ａ）は払出ブロック１５に対して面替えブロック１４を閉鎖した状態、（ｂ）は払出ブロック１５に対して面替えブロック１４を少し開放した状態、（ｃ）は払出ブロック１５に対して面替えブロック１４を大きく開放した状態を示す。
【０１２２】
図１７（ａ）では、リール装置８２により開口窓部２６５の全体が覆われているため、キー挿入口２４５ａの全体が覆い隠されている。この場合、遊技機１０を上方から見てキー挿入口２４５ａが視認不可能な状態となっており、前述したとおり、キー挿入口２４５ａへの設定変更キーの挿入が阻止されている。
【０１２３】
図１７（ｂ）では、リール装置８２により開口窓部２６５の一部が覆われておらず、キーシリンダ２４５の一部が露出しているがキー挿入口２４５ａはその全体が覆い隠されている。この場合、遊技機１０を上方から見てキーシリンダ２４５の一部が視認可能な状態となっているが、キー挿入口２４５ａは露出しておらず設定変更キーが挿入可能な状態とはなっていない。このため、例えば不正行為者がホール管理者などに発見されないように払出ブロック１５に対して面替えブロック１４を少しだけ開き、キー挿入口２４５ａに設定変更キーを不正に挿入しようとしても、それが困難なものとなっている。
【０１２４】
図１７（ｃ）では、リール装置８２には開口窓部２６５が覆われておらず、キーシリンダ２４５及びキー挿入口２４５ａの全体が露出している。この場合、遊技機１０を上方から見てキー挿入口２４５ａの全体が視認可能な状態となっている。このため、キー挿入口２４５ａに設定変更キーを挿入することが容易なものとなっている。ここで、通常、面替えブロック１４が払出ブロック１５に対してかかる状態となるまで大きく開放された場合は、ホール管理者などにより正規に各ブロック１３〜１５が分離開放されている場合であると考えられる。また、この場合は、遊技機主部１２が開放状態となっていることをホール管理者などが容易に発見することができるため、不正行為者によりキー挿入口２４５ａに設定変更キーが不正に挿入されることを抑制することができる。
【０１２５】
遊技ホールにおいては、ホール管理者等によって以下の手順にて設定変更が行われる。このとき、設定変更に際しては、施錠装置６０の解錠操作（例えば解錠キーの時計回り方向の回動操作）に伴い、外枠１１に対して遊技機主部１２（ドアブロック１３、面替えブロック１４及び払出ブロック１５の一体物）が分離開放されるとともに、再度の解錠操作（例えば解錠キーの反時計回り方向の回動操作）に伴い、面替えブロック１４に対して払出ブロック１５が分離開放される。そして、その状態で設定キースイッチ２４０のキーシリンダ２４５（キー挿入口２４５ａ）に設定変更キーが挿入されるとともに、所定の設定変更操作が行われる。
【０１２６】
まず電源スイッチ２０５をオフにし、キーシリンダ２４５（キー挿入口２４５ａ）に挿入した設定変更キーを時計回り方向に９０度回した後、電源スイッチ２０５をオンにする。これにより、払出制御装置１５３等に設けたカウント表示ＬＥＤに現時点の設定値が表示され、６段階の設定変更が可能となる。その後、リセットスイッチ２０６を押し操作するごとに設定値表示が１→２→３→…のように変わり（最大値は６で次に１に戻る）、その操作により設定の選択が行われる。設定の選択を行った後、スタートレバー３３を操作すると、設定値が確定する。その後、設定変更キーを反時計回り方向に９０度回して設定キースイッチ２４０を元の状態に戻すと、設定作業が完了する。
【０１２７】
なお、電源スイッチ２０５をオンにしたまま、設定変更キーを時計回り方向に９０度回した場合には、現時点での設定値がカウント表示ＬＥＤに表示される。
【０１２８】
その他、裏カバー部材１５１のベース部１６１において、電源装置１５４の側方には、球貸しユニットから貸し出される遊技球の払出等を管理する球貸しユニット接続基板２８１が設けられている。
【０１２９】
（電気的構成の説明）
次に、本遊技機１０の電気的構成について、図１８のブロック図に基づいて説明する。図１８では、電気的な各構成要素を、ドアブロック１３、面替えブロック１４及び払出ブロック１５に区分けして示している。また、電源装置１５４から供給される電力の供給ラインを二重線矢印で示し、信号ラインを実線矢印で示す。
【０１３０】
図１８において、主制御装置８４、表示制御装置８５及び払出制御装置１５３は、何れもＣＰＵ、ＲＯＭ、ＲＡＭ等を有してなる論理演算装置にて構成されており、各制御装置のＣＰＵはＲＯＭ内に予め記憶されている演算プログラムに基づいて遊技に関する各種制御を実行する。これら各制御装置は、信号ラインや中継基板等を介して接続されており、遊技に際しては制御装置間におけるコマンド等の授受によって遊技の進行が行われる。
【０１３１】
詳しくは、面替えブロック１４において、主制御装置８４には、リール中継基板３０１を介してリール装置８２と外部端子板３０２とが接続されるとともに、サブ中継基板３０３を介して表示制御装置８５が接続されている。リール装置８２では、主制御装置８４からの指令に基づいて各リール１０１〜１０３の回転が制御される。外部端子板３０２は遊技ホール等に設置されるホール管理装置（いわゆる、ホールコンピュータ）に接続される中継装置であり、この外部端子板３０２を通じて都度の遊技状況（遊技回数、当り回数等々）がホール管理装置に出力される。表示制御装置８５は、主制御装置８４から毎遊技の補助演出に関する各種コマンドを入力し、そのコマンドに応じて液晶表示装置８３による補助演出を実施するとともに、ドアブロック１３に設けたドア上部中継基板３０６を介してスピーカ類やランプ類の駆動を制御する。
【０１３２】
図示等による説明は省略したが、本遊技機１０には、外枠１１に対して遊技機主部１２（ドアブロック１３）が開放されたことを検知するためのドアスイッチが設けられており、このドアスイッチの検出信号はリール中継基板３０１を介して主制御装置８４に入力されるようになっている。
【０１３３】
なお、主制御装置８４において、ＲＡＭの一部には本遊技機１０の電源遮断後においても電源装置１５４からバックアップ電圧が供給されてデータを保持（バックアップ）することが可能なバックアップエリアが設けられている。したがって、停電などの発生により電源が遮断された場合には、電源遮断時の各種データがＲＡＭのバックアップエリアに記憶保持され、次回の電源投入時（停電解消による電源投入を含む）において遊技機１０の状態が電源遮断前の状態に復帰できるようになっている。
【０１３４】
また、払出ブロック１５には払出ブロック中継基板３０５が設けられており、この払出ブロック中継基板３０５を介して前記面替えブロック１４の主制御装置８４と、本払出ブロック１５の払出制御装置１５３や取込ユニット６５とが電気的に接続されている。加えて、払出ブロック中継基板３０５を介して前記面替えブロック１４の主制御装置８４と、ドアブロック１３のドアブロック中継基板３０７とが電気的に接続されている。
【０１３５】
この場合、ドアブロック１３の各種操作部材（ベットスイッチ３８、スタートレバー３３、ストップスイッチ３５〜３７）が遊技者により操作されると、これら操作部材に内蔵された操作検出部によって当該操作が検出され、都度の操作検出信号がドアブロック中継基板３０７及び払出ブロック中継基板３０５を介して主制御装置８４に入力される。例えば、ベットスイッチ３８の操作に伴う操作検出信号が主制御装置８４に入力された場合、主制御装置８４は、払出ブロック中継基板３０５を介して取込ユニット６５に取込制御信号を出力する。この取込制御信号によって取込ユニット６５でソレノイド駆動が行われ、遊技球の取込が順次行われる。遊技球取込時における遊技球取込検出センサの検出信号は、やはり払出ブロック中継基板３０５を介して主制御装置８４に入力される。
【０１３６】
また、リール装置８２の各リールの停止図柄（ドアブロック１３の視認窓２３から視認できる上下３個分の図柄、及び各図柄の組み合わせ）が所定の遊技球払出役（小役図柄、ボーナス図柄）に合致する場合には、主制御装置８４は、都度の成立役に応じて遊技球の払出個数を設定し、その払出個数に対応する払出制御信号を払出ブロック中継基板３０５を介して払出制御装置１５３に出力する。これにより、払出制御装置１５３によって払出装置１６８（払出モータ）が駆動され、遊技球の払出が行われる。
【０１３７】
なお、払出制御装置１５３において、ＲＡＭの一部には主制御装置８４のＲＡＭと同様に、本遊技機１０の電源遮断後においても電源装置１５４からバックアップ電圧が供給されてデータを保持（バックアップ）することが可能なバックアップエリアが設けられている。したがって、停電などの発生により電源が遮断された場合には、電源遮断時の各種データがＲＡＭのバックアップエリアに記憶保持され、次回の電源投入時（停電解消による電源投入を含む）において遊技機１０の状態が電源遮断前の状態に復帰できるようになっている。
【０１３８】
電源装置１５４は外部より供給される交流２４ボルト電源を取り込み、各種スイッチやモータ等を駆動するための＋１２Ｖ電源、ロジック用の＋５Ｖ電源、ＲＡＭバックアップ用のバックアップ電源などを生成し、これら＋１２Ｖ電源、＋５Ｖ電源及びバックアップ電源を主制御装置８４や払出制御装置１５３等に対して供給する。
【０１３９】
（遊技の簡単な説明）
次に、上記構成の遊技機１０について、遊技者により行われる遊技の概要を簡単に説明する。
【０１４０】
遊技の開始に際し、上皿４１に遊技球が十分にある状況において遊技者によりベットスイッチ３８が押圧操作されると、取込ユニット６５において遊技球の取込が行われる。そして、ベット数に対応する所定個数（例えば１５個）の遊技球の取込が完了した後、スタートレバー３３が操作されると、リール装置８２の各リール１０１〜１０３が一斉に又は所定順序で回転し始める。このスタートレバー３３の操作時には、主制御装置８４において小役、再遊技（リプレイ）、ボーナスゲーム等に関する内部抽選が行われる。各リール１０１〜１０３の回転時には、その外周面に付された図柄が視認窓２３を通じて上から下へと移動するような態様で視認される。
【０１４１】
その後、遊技者によりストップスイッチ３５〜３７が任意の順序で操作されると、各ストップスイッチ３５〜３７の操作タイミングに合わせて各々対応するリール１０１〜１０３の回転が停止される。このとき、各リール１０１〜１０３の停止時には、所定の図柄を特定位置に停止させるような引き込み停止制御が適宜実施される。例えば、内部抽選により小役等が成立している場合、その小役等が成立する停止図柄の組み合わせとなるように、ストップスイッチ３５〜３７の操作タイミングから最大４図柄分、停止図柄がスライド可能となっている（停止図柄のスベリが行われる）。ちなみに、各リール１０１〜１０３の回転開始後、ストップスイッチ３５〜３７の操作がなされないまま規定時間を経過した場合にはその規定時間の経過時点で各リール１０１〜１０３の回転が停止される。
【０１４２】
各リール１０１〜１０３の停止時（図柄停止時）において、その停止図柄及びその組み合わせが小役図柄やボーナス図柄に合致する場合、その際の成立役に応じた数の遊技球が払い出される。この場合、払出装置１６８の駆動により上皿４１に遊技球が払い出される。
【０１４３】
以上詳述した本実施の形態によれば、以下の優れた効果を奏する。
【０１４４】
払出ブロック１５に対して面替えブロック１４が閉鎖状態（一体化状態）にある場合に面替えブロック１４のリール装置８２におけるケース部材１００の下面部１００ｂがキー挿入口２４５ａを覆い隠すように設定キースイッチ２４０を払出ブロック１５に配置したため、遊技機主部１２が閉鎖状態にある場合にキー挿入口２４５ａへの設定変更キーの挿入を阻止することができる。したがって、例えば、不正行為者がホール管理者などに発見されないように、ドアブロック１３などに孔等を穿設するなどして遊技機主部１２を閉鎖状態としたままキー挿入口２４５ａに設定変更キーを挿入しようとしても、それが困難なものとなっている。故に、不正な設定変更行為に対する抑止力を発揮することができるようになる。
【０１４５】
払出ブロック１５に対する面替えブロック１４の開放動作に伴いキー挿入口２４５ａが露出するように設定キースイッチ２４０を払出ブロック１５に配置したため、払出ブロック１５に対して面替えブロック１４を開放状態とすることでキー挿入口２４５ａに設定変更キーを挿入することが可能となる。したがって、ホール管理者などが正規に面替えブロック１４に対して払出ブロック１５を分離開放した場合は設定変更を容易に行うことができる。
【０１４６】
払出ブロック１５に搭載した設定キースイッチ２４０のキー挿入口２４５ａを、面替えブロック１４に搭載したリール装置８２の下面部１００ｂにより覆い隠す構成としたため、キー挿入口２４５ａを露出させるには払出ブロック１５からドアブロック１３を分離させるのみならず払出ブロック１５から面替えブロック１４を分離させる必要がある。したがって、仮に不正行為者が不正に設定変更行為を行おうとしても余分な手間（払出ブロック１５からドアブロック１３及び面替えブロック１４を分離開放する手間）がかかり、それによって不正行為に対する抑止力を効かせることができる。
【０１４７】
払出ブロック１５に対して面替えブロック１４を閉鎖状態とした場合にリール装置８２の下面部１００ｂがキー挿入口２４５ａを覆い隠すように設定キースイッチ２４０を配置したため、キー挿入口２４５ａを覆い隠すための部材等を新たに面替えブロック１４に設ける必要がない。さらにこの場合、払出ブロック１５又は面替えブロック１４を単に回動させて閉鎖状態とすることでキー挿入口２４５ａを覆い隠すことができる。故に、遊技機１０のコストアップを抑制しつつ、比較的簡易な構成で不正行為に対する抑止力を効かせることができる。また、リール装置８２の下面部１００ｂにてキー挿入口２４５ａを覆い隠すようにしたため、リール装置８２に孔等を穿設してキー挿入口２４５ａに設定変更キーを不正に挿入しようとしても、リール装置８２を上下方向に貫通する孔等を穿設する必要が生じ、それが非常に困難なものとなる。したがって、設定変更が不正に行われることをより確実に抑制することができる。
【０１４８】
キー挿入口２４５ａが上方を向くように設定キースイッチ２４０を配置したため、遊技機１０の前後方向からキー挿入口２４５ａに設定変更キーが不正に挿入されることを抑制することができる。またこの場合、水平方向に回動する面替えブロック１４の開放動作に伴うリール装置８２の移動方向が、キー挿入口２４５ａへの設定変更キーの差込方向と直交することとなる。したがって、払出ブロック１５に対して面替えブロック１４が開放状態とされても、ある程度の開度に達するまではキー挿入口２４５ａの全体は露出しない。このため、例えば不正行為者がホール管理者などに発見されないように払出ブロック１５に対して面替えブロック１４を少しだけ開き、キー挿入口２４５ａに設定変更キーを不正に挿入しようとしても、それが困難なものとなっている。
【０１４９】
キー挿入口２４５ａが払出ブロック１５の突出板１７６より下方に位置するように設定キースイッチ２４０を配置したため、設定変更キーを開口窓部２６５に差し込むようにしてキー挿入口２４５ａに挿入することとなる。したがって、キー挿入口２４５ａへの設定変更キーの挿入を制限することができる。さらに、仮に不正行為者が設定変更キーをキー挿入口２４５ａに挿入しても、設定変更キーの回動操作が行いにくくなっている。故に、設定変更が不正に行われることを抑制することができる。
【０１５０】
さらに、突出板１７６を上下方向に貫通した開口窓部２６５より没入して、キー挿入口２４５ａが上方を向くように設定キースイッチ２４０を配置したため、払出ブロック１５に対して面替えブロック１４を開放状態とした場合でも、遊技機１０に対して左右方向からではキー挿入口２４５ａが視認しにくくなる。不正行為者が不正に設定変更を行う際、払出ブロック１５に対して面替えブロック１４を少しだけ開放させて、それにより生じた隙間を通じて設定変更キーをキー挿入口２４５ａに挿入しようとすると考えられる。この点、かかる構成とすることにより、例えばキー挿入口２４５ａの全体が露出する程度に払出ブロック１５に対して面替えブロック１４が開放されたとしても、キー挿入口２４５ａが視認しにくくなっているためキー挿入口２４５ａへの設定変更キーの挿入を困難なものとすることができる。
【０１５１】
突出板１７６において、開口窓部２６５が上面起立部１７７、連結壁部１７８及び連結起立部１７９に囲まれるようにしたため、リール装置８２の下面部１００ｂと突出板１７６との間の隙間からの設定変更キーなどの差し込みを阻止することができる。したがって、前記隙間から開口窓部２６５を通じて設定変更キーをキー挿入口２４５ａに不正に挿入しようとしても、それが困難なものとなっている。故に、設定変更が不正に行われることをより好適に抑制することができる。
【０１５２】
設定変更キーをキー挿入口２４５ａに挿入しその状態で設定変更キーを回動操作することを設定変更操作の要件としたため、設定変更を行うには設定変更キーが必要となる。したがって、仮に不正行為者が不正に設定変更行為を行おうとしても設定変更キーがなければそれを行うことができない。故に、不正行為を抑制することができる。
【０１５３】
設定キースイッチ２４０を一体的に設けた電源装置１５４において、設定キースイッチ２４０を、電気部品実装面の逆側であって、かつキー挿入口２４５ａが面替えブロック１４を向くようにして払出ブロック１５に設置したため、遊技機後方から設定キースイッチ２４０を見えなくすることができる。また、遊技機後方からキー挿入口２４５ａに設定変更キーを挿入して不正に設定変更を行うことを行いにくくすることができる。したがって、不正な設定変更行為に対する抑止力を発揮することができるようになる。
【０１５４】
特に、本遊技機１０は、遊技ホールの島設備（パチンコ島）に設置され、手前側に回動されることで島設備から開放されるようになっている。また、遊技機後方は開放されて電源装置１５４等がむき出しになっている。したがって、例えば背向かいとなる一方の遊技機１０を島設備から回動させると、他方の遊技機１０の背面が丸見えとなり、不正な設定変更行為などが行われる懸念が生じるが、上記構成によれば不正対策を講じることができる。
【０１５５】
同じく電源装置１５４において、設定変更操作を行うためのリセットスイッチ２０６と、その設定変更操作を有効化するための設定キースイッチ２４０とを電源基板２０１を挟んで両側にそれぞれ設けたため、設定キースイッチ２４０による設定有効化の操作と、リセットスイッチ２０６による設定変更操作とがひとまとめに行うことができないようになる。したがって、更に進んだ不正対策が可能となる。
【０１５６】
また、面替えブロック１４に対して払出ブロック１５を分離開放させるには、施錠装置６０の解錠操作が不可欠となっているため、キー挿入口２４５ａを設定変更キーが挿入可能な状態としたり、同キー挿入口２４５ａを設定変更キーが挿入不可能な状態としたりすることが厳密に管理でき、より確かな不正対策が実現できる。
【０１５７】
リール装置８２の収容部と遊技球の通路構成部（払出球通路部１７２、排出球通路部１７４）との間の空間領域を利用して設定キースイッチ２４０を設置したため、効率の良い空間利用が実現できる。
【０１５８】
また、本遊技機１０では、面替えブロック１４には、リール装置８２、液晶表示装置８３、主制御装置８４及び表示制御装置８５といった、機種毎に固有性を有する構成要素がまとめて搭載されているため、これら各装置をひとまとめにして交換作業等を行うことができる。つまり、遊技ホール等における機種入替時には、面替えブロック１４の交換を行うことで主要な機種入替作業が完了する。故に、遊技機１０の機種入替を容易に実施することが可能となる。また、面替えブロック１４以外は再使用が可能となるため、消費資源の削減等を図ることができる。
【０１５９】
なお、以上説明した実施の形態の他、例えば次のように実施してもよい。
【０１６０】
（ａ）上記実施の形態では、払出ブロック１５に対して面替えブロック１４が閉鎖状態にある場合にリール装置８２のケース部材１００の下面部１００ｂにより設定キースイッチ２４０のキー挿入口２４５ａを覆い隠す構成としたが、これを変更してもよい。例えば、リール装置８２のケース部材１００の上面部１００ａによりキー挿入口２４５ａを覆い隠す構成としてもよく、又は面替えブロック１４を構成しかつ遊技機１０の前後方向に所定幅を有する他の構成部材によりキー挿入口２４５ａを覆い隠す構成としてもよい。前記他の構成部材としては主制御装置８４などが挙げられる。この場合、払出ブロック１５と面替えブロック１４が閉鎖状態にある場合にキー挿入口２４５ａが主制御装置８４により覆い隠されるように設定キースイッチ２４０を配置する必要がある。
【０１６１】
（ｂ）上記実施の形態では、払出ブロック１５の開口窓部２６５がケース部材１００の下面部１００ｂにより覆い隠される構成としたが、設定キースイッチ２４０のキー挿入口２４５ａに対して設定変更キーの挿入が阻止される構成であればよい。例えば、設定キースイッチ２４０のキー挿入口２４５ａのみがケース部材１００の下面部１００ｂに覆い隠される構成とする。なお、この場合、払出ブロック１５に対して面替えブロック１４が閉鎖された状態でキー挿入口２４５ａがケース部材１００の下面部１００ｂに極力接近するように設定キースイッチ２４０を設置するとよい。これにより、キー挿入口２４５ａとケース部材１００の下面部１００ｂとの間の隙間から設定変更キーなどが強引にキー挿入口２４５ａに挿入されることを抑制することができる。
【０１６２】
（ｃ）上記実施の形態では、キー挿入口２４５ａを遊技機前方方向に対して直交する方向に向けて設定キースイッチ２４０を設けるとともに、面替えブロック１４における遊技機前後方向の幅部分（リール装置８２の下面部１００ｂ等）によりキー挿入口２４５ａを覆い隠す構成としたが、キー挿入口２４５ａを遊技機前方方向に向けて設定キースイッチ２４０を設けるとともに、面替えブロック１４においてキー挿入口２４５ａに接近して対向する一部によりキー挿入口２４５ａを覆い隠す構成としてもよい。この場合、キー挿入口２４５ａに接近した状態で対向する挿入口対向部材を面替えブロック１４に設けてもよい。かかる構成としても、設定変更キーがキー挿入口２４５ａに不正に挿入されることを阻止することができる。
【０１６３】
（ｄ）上記実施の形態では、面替えブロック１４の一部（リール装置８２の下面部１００ｂ等）によりキー挿入口２４５ａを覆い隠す構成としたが、ドアブロック１３の一部によりキー挿入口２４５ａを覆い隠す構成としてもよい。例えば、面替えブロック１４のみが払出ブロック１５に対して閉鎖状態にある場合にキー挿入口２４５ａが覆い隠されず、面替えブロック１４に加えてドアブロック１３が払出ブロック１５に対して閉鎖状態にある場合に、ドアブロック１３を構成する構成部材の前後幅部分（例えば、取込ユニット６５の側面）によりキー挿入口２４５ａが覆い隠される構成とする。かかる構成とした場合、ドアブロック１３が「第１構成体」に相当し、払出ブロック１５が「第２構成体」に相当する。なお、この場合、払出ブロック１５に対してドアブロック１３のみを開放状態とすることでキー挿入口２４５ａを露出させることが可能となる。このため、面替えブロック１４の一部によりキー挿入口２４５ａを覆い隠す構成とした方が、キー挿入口２４５ａを露出させる際に余分な手間がかかり、不正行為に対する抑止力を効かせることができる。
【０１６４】
（ｅ）上記実施の形態では、設定キースイッチ２４０のキー挿入口２４５ａを突出板１７６よりも下方に設けたが、突出板１７６よりも上方に設けてもよい。この場合、開口窓部２６５からキーシリンダ２４５が上方に突出するように設定キースイッチ２４０を設置するとよい。但し、払出ブロック１５に対して面替えブロック１４が不正に開放状態とされた場合に、キー挿入口２４５ａが視認され易くなるおそれがあるため、キー挿入口２４５ａを突出板１７６よりも下方に設けた方がよい。
【０１６５】
（ｆ）上記実施の形態では、遮蔽部として上面起立部１７７、連結壁部１７８及び連結起立部１７９を配設したが、これらを配設しなくてもよい。但し、ケース部材１００の下面部１００ｂと突出板１７６との間の間隔が長い場合、そこから設定変更キーがキー挿入口２４５ａに不正に挿入され易くなるため、かかる場合には上面起立部１７７、連結壁部１７８及び連結起立部１７９などの遮蔽部を開口窓部２６５の周りに設けるとよい。
【０１６６】
（ｇ）上記実施の形態では、設定キースイッチ２４０を、設定変更キーをキー挿入口２４５ａに挿入した状態で回動操作することにより設定変更時の設定操作を有効化するように構成したが、これを変更する。例えば、設定変更キーをキー挿入口２４５ａに挿入することを有効化操作とし、それにより、設定変更時の設定操作を有効化するようにしてもよい。又は、設定キースイッチ２４０に操作部としての設定許可ボタンを設けた構成として、設定変更キーを使わずにその設定許可ボタンを押すことを有効化操作とし、それにより、設定変更時の設定操作を有効化するようにしてもよい。なお、設定許可ボタンを押すことを有効化操作とした場合は、払出ブロック１５に対して面替えブロック１４を閉鎖した状態でリール装置８２により設定許可ボタンの全体を覆い隠すようにするなど、設定許可ボタンが不正に押されることを抑制する構成とするとよい。
【０１６７】
（ｈ）上記実施の形態では、電源装置１５４において、キー挿入口２４５ａが遊技機正面方向に対して上方を向くようにして設定キースイッチ２４０を設置したが、これを変更し、キー挿入口２４５ａが下方や左右方向を向くようにして設定キースイッチ２４０を設置しても良く、キー挿入口２４５ａが遊技機正面を向くようにして設定キースイッチ２４０を設置してもよい。但し、キー挿入口２４５ａが遊技機正面を向くようにして設定キースイッチ２４０を設置した場合、払出ブロック１５に対して面替えブロック１４が少し開放された状態でも、キー挿入口２４５ａの全体が露出し設定変更キーが不正に挿入されるおそれがあるため、キー挿入口２４５ａの向きを面替えブロック１４移動する方向と直交するようにして設定キースイッチ２４０を設置するとよい。
【０１６８】
（ｉ）上記実施の形態では、キーシリンダの解錠操作により、ドアブロック１３、面替えブロック１４及び払出ブロック１５のそれぞれが開放状態となる構成としたが、キーシリンダの解錠操作が行われても払出ブロック１５に対する面替えブロック１４の閉鎖状態が保持される構成としてもよい。例えば、面替えブロック１４と払出ブロック１５とを係止、引掛け等により結合状態とする結合部材を面替えブロック１４又は払出ブロック１５の少なくともいずれかに設け、結合部材を結合状態とすることで払出ブロック１５に対する面替えブロック１４の閉鎖状態を保持する構成とする。この場合、払出ブロック１５に対して面替えブロック１４を開放状態とするには、キーシリンダの解錠操作に加えて結合部材による結合の解除操作を行う必要が生じる。したがって、キー挿入口２４５ａを露出させる際に余分な手間がかかり、不正行為に対する抑止力をより好適に効かせることができる。
【０１６９】
（ｊ）上記実施の形態では、電源装置１５４において、電源基板２０１を収容するための基板ケース２０２と、設定キースイッチ２４０のキースイッチカバー２４２とを別体で成型し、それらを接合して一体化したが、これを変更し、それら基板ケース２０２とキースイッチカバー２４２とを一体成型する構成としても良い。
【０１７０】
（ｋ）上記実施の形態では、電源装置１５４に設定キースイッチ２４０を一体的に設けたが、これを変更し、主制御装置８４、表示制御装置８５、払出制御装置１５３など、他の基板装置に設定キースイッチ２４０を一体的に設けても良い。又は、基板装置に設定キースイッチ２４０を一体的に設ける以外に、遊技機１０の他の構成部材に設定キースイッチ２４０を一体的に設けるなどしても良い。
【０１７１】
（ｌ）上記実施の形態では、面替えブロック１４に搭載する遊技装置として、リール装置８２と液晶表示装置８３とを用い、これら各装置を上下に並べて設けたが、これを変更する。例えば、リール装置８２と液晶表示装置８３とを左右に並べて設ける。また、単一のリール装置のみを搭載したり、複数のリール装置を搭載したりしても良い。また、補助演出装置として機能する液晶表示装置を、ドットマトリックス、ＬＥＤ、エレクトロルミネセンス（ＥＬ）、蛍光表示管等の他の電気的表示装置に変更することも可能である。
【０１７２】
（ｍ）扉部材としてのドアブロック１３を、上下２部材に分割可能な構成としても良い。例えば操作部３０を含みそれよりも下方を下側のドア部材とし、上方を上側のドア部材とする。
【０１７３】
（ｎ）遊技機１０において、下皿５１を無くし上皿４１のみを設ける構成とする。この場合、上皿４１やその背後の払出通路等を大容量化することにより、遊技機１０として十分量の遊技球が貯留保持できる。
【０１７４】
（ｏ）上記実施の形態におけるスタートレバー３３やストップスイッチ３５〜３７等に代表される操作手段の配置はあくまでも一例に過ぎない。例えばスタートレバー３３を右側に配置したり、レバーに代えてボタンにしたりする等、適宜変更することは何ら差し支えない。
【０１７５】
（ｐ）上記実施の形態における球使用タイプの回胴遊技機１０は、必ずしもパチンコ島に設置されるものでなくても良い。この場合、外枠を要件とせず、筐体等に遊技機主部１２が支持される構成であっても良い。また、遊技媒体としての遊技球はパチンコ球に限られず、パチンコ規格以外の金属球であっても良い。金属球以外、例えばセラミック球であっても良い。
【０１７６】
（ｑ）本発明は、球使用回胴遊技機以外の遊技機にも具体化できる。例えば、遊技メダルを遊技媒体とするスロットマシンにおいて、上記電源装置１５４の特徴的な構成を適用する。一般にスロットマシンは設定変更機能を有しており、本発明の適用により、不正な設定変更行為の抑制を図る。スロットマシンの場合、筐体とその前面側の前面扉とを有しており、前面扉による前面開放が行われる。この場合、前面扉が「第１構成体」に相当し、筐体及びその筐体に搭載された機器類が「第２構成体」に相当する。そして、例えば、前面扉が閉鎖状態にある場合に前面扉における前後方向に所定幅を有する構成部材がキー挿入部と対向するように、前面扉の開放動作に伴い前記構成部材がキー挿入部と対向しなくなるように、設定有効化装置（設定キースイッチ）を筐体に設置する。
【０１７７】
また、パチンコ機にあっても、設定変更機能を有するものであれば本発明の適用により所望の効果が得られることに変わりないと考えられる。
【図面の簡単な説明】
【０１７８】
【図１】一実施の形態における遊技機の全体を示す斜視図である。
【図２】遊技機の内部開放状態を示す斜視図である。
【図３】遊技機の内部開放状態を示す斜視図である。
【図４】面替えブロックの斜視図である。
【図５】面替えブロックの斜視図である。
【図６】面替えブロックの側面図である。
【図７】払出ブロックの斜視図である。
【図８】払出ブロックの斜視図である。
【図９】払出ブロックの背面図である。
【図１０】払出ブロックから制御装置類を取り外した状態を示す斜視図である。
【図１１】電源装置の構成を示す図である。
【図１２】電源装置の分解斜視図である。
【図１３】電源装置の分解斜視図である。
【図１４】設定キースイッチの分解斜視図である。
【図１５】電源装置を側方から見た略図である。
【図１６】設定キースイッチ周辺の縦断面図である。
【図１７】設定キースイッチ周辺の略図である。
【図１８】遊技機の電気的構成を説明するためのブロック図である。
【符号の説明】
【０１７９】
１０…遊技機、１３…ドアブロック、１４…面替えブロック、１５…払出ブロック、２４…透明パネル、３３…スタートレバー、３５〜３７…ストップスイッチ、３８…ベットスイッチ、４１…上皿、６０…施錠装置、６５…取込ユニット、８２…リール装置、１００…ケース部材、１００ｂ…下面部、１０１〜１０３…リール、１５４…電源装置、１７６…突出板、１７７…上面起立部、１７８…連結壁部、１７９…連結起立部、２０１…電源基板、２０２…基板ケース、２０６…リセットスイッチ、２４０…設定キースイッチ、２４５ａ…キー挿入口、２６５…開口窓部。
【図１】
2008061774.tif 000003
【図２】
2008061774.tif 000004
【図３】
2008061774.tif 000005
【図４】
2008061774.tif 000006
【図５】
2008061774.tif 000007
【図６】
2008061774.tif 000008
【図７】
2008061774.tif 000009
【図８】
2008061774.tif 000010
【図９】
2008061774.tif 000011
【図１０】
2008061774.tif 000012
【図１１】
2008061774.tif 000013
【図１２】
2008061774.tif 000014
【図１３】
2008061774.tif 000015
【図１４】
2008061774.tif 000016
【図１５】
2008061774.tif 000017
【図１６】
2008061774.tif 000018
【図１７】
2008061774.tif 000019
【図１８】
2008061774.tif 000020